(57)【要約】      （修正有）【課題】  関係者が設備機器の管理をする際の負担を低減することができる設備機器管理装置、設備機器管理システム、設備機器管理方法及び設備機器管理プログラムを提供する。【解決手段】  設備機器管理装置１０は、設備機器６０ａ等の関係者の要求が入力される関係者管理装置３０にネットワーク４０経由で接続され、関係者の要求に応じて、ネットワーク７０経由で設備機器６０ａ等を管理する。設備機器管理装置１０は、第１送受信部１１と生成部２１とを備える。第１送受信部１１は、関係者の関係者識別子を含む認証情報をネットワーク４０経由で関係者管理装置３０から受信する。生成部２１は、ＨＴＭＬファイルをＪａｖａアプレットとともに生成する。第１送受信部１１は、ＨＴＭＬファイルをＪａｖａアプレットとともにネットワーク４０経由で関係者管理装置３０へ送信する。【選択図】図１
2005147505.tif 000002
【特許請求の範囲】
【請求項１】
設備機器（６０ａ，６０ｂ，・・・，３６０ａａ，３６０ａｂ，・・・，３６０ｂａ，３６０ｂｂ，・・・）の関係者の要求が入力される関係者管理装置（３０）に第１ネットワーク（４０，２８０）経由で接続され、前記関係者の要求に応じて、第２ネットワーク（７０，３７０ａ，３７０ｂ，・・・）経由で前記設備機器（６０ａ，・・・）を管理する設備機器管理装置（１０，１１０，２１０，３１０ａ，３１０ｂ，・・・）であって、
前記関係者の関係者識別子を含む認証情報を前記第１ネットワーク（４０，２８０）経由で前記関係者管理装置（３０）から受信する第１送受信部（１１）と、
前記設備機器（６０ａ，・・・）を管理するためのプログラムである管理プログラムと前記関係者識別子とを関連付けた情報である関連付け情報を、前記管理プログラムとともに生成する生成部（２１）と、
を備え、
前記第１送受信部（１１）は、前記関係者管理装置（３０）において前記管理プログラムが実行されるようにするために、前記関連付け情報を前記管理プログラムとともに前記第１ネットワーク（４０，２８０）経由で前記関係者管理装置（３０）へ送信する、
設備機器管理装置（１０，１１０，２１０，３１０ａ，３１０ｂ，・・・）。
【請求項２】
前記関係者識別子と前記設備機器（６０ａ，・・・）の識別子とを対応付けた情報である対応付け情報（１８）を記憶する記憶部（１６）と、
前記認証情報に基づいて、前記関係者を認証する認証部（１２）と、
前記対応付け情報（１８）に基づいて、前記認証部（１２）が認証した前記関係者の関係者識別子に対応する設備機器（６０ａ，・・・）に関する情報である対応機器情報を、前記関係者の要求に応じて提供する情報提供部（１３）と、
をさらに備えた、
請求項１に記載の設備機器管理装置（１０，１１０，２１０，３１０ａ，３１０ｂ，・・・）。
【請求項３】
前記生成部（２１）は、前記対応機器情報を前記関係者に閲覧させるためのプログラムである閲覧プログラムを介して前記関係者管理装置（３０）において前記管理プログラムが実行されるようにするために、前記閲覧プログラムを介して実行可能な前記管理プログラムを生成する、
請求項２に記載の設備機器管理装置（１０，１１０，２１０，３１０ａ，３１０ｂ，・・・）。
【請求項４】
前記第１送受信部（１１）は、前記関係者の要求を前記第１ネットワーク（４０，２８０）経由で前記関係者管理装置（３０）から受信し、
前記設備機器（６０ａ，・・・）を管理するための指令である管理指令を前記第２ネットワーク（７０，３７０ａ，３７０ｂ，・・・）経由で前記設備機器（６０ａ，・・・）へ送信する第２送受信部（１５）をさらに備えた、
請求項１から３のいずれかに記載の設備機器管理装置（１０，１１０，２１０，３１０ａ，３１０ｂ，・・・）。
【請求項５】
前記設備機器（６０ａ，・・・）は空気調和機である、
請求項１から４のいずれかに記載の設備機器管理装置（１０，１１０，２１０，３１０ａ，３１０ｂ，・・・）。
【請求項６】
請求項１から５のいずれかに記載の設備機器管理装置（１０，１１０，２１０，３１０ａ，３１０ｂ，・・・）と、
前記管理プログラムが実行されることにより前記関係者の要求が入力され、前記第１ネットワーク（４０，２８０）で前記設備機器管理装置（１０，１１０，２１０，３１０ａ，３１０ｂ，・・・）に接続されている関係者管理装置（３０）と、
を備えた、
設備機器管理システム（１，１００，２００，３００）。
【請求項７】
請求項１から５のいずれかに記載の１以上の設備機器管理装置（１０，１１０，２１０，３１０ａ，３１０ｂ，・・・）と、
１以上の前記設備機器（６０ａ，・・・）についての前記関係者の要求が入力され、前記第１ネットワーク（４０，２８０）で１以上の前記設備機器管理装置（１０，１１０，２１０，３１０ａ，３１０ｂ，・・・）に接続されている関係者管理装置（３０）と、
第３ネットワーク（４０，２４０）で１以上の前記設備機器管理装置（１０，１１０，２１０，３１０ａ，３１０ｂ，・・・）に接続され、１以上の前記設備機器管理装置（１０，１１０，２１０，３１０ａ，３１０ｂ，・・・）を介して１以上の前記設備機器（６０ａ，・・・）をそれぞれ管理する中央管理装置（５０，２５０，３５０）と、
を備えた、
設備機器管理システム（１，１００，２００，３００）。
【請求項８】
設備機器（６０ａ，・・・）を管理するためのプログラムである管理プログラムが実行されて前記設備機器（６０ａ，・・・）の関係者の要求が入力される関係者管理装置（３０）と、
前記関係者管理装置（３０）に第１ネットワーク（４０，２８０）経由で接続され、前記関係者の要求に応じて、第２ネットワーク（７０，３７０ａ，３７０ｂ，・・・）経由で前記設備機器（６０ａ，・・・）を管理する設備機器管理装置（１０，１１０，２１０，３１０ａ，３１０ｂ，・・・）と、
前記設備機器管理装置（１０，１１０，２１０，３１０ａ，３１０ｂ，・・・）で認証された前記関係者の関係者識別子に対応する設備機器（６０ａ，・・・）に関する情報である対応機器情報を前記関係者に閲覧させるためのプログラムである閲覧プログラムを介して前記関係者管理装置（３０）において前記管理プログラムが実行されるようにするために、前記閲覧プログラムを介して実行可能な前記管理プログラムを生成する閲覧サーバ（２０，１２０）と、
を備え、
前記設備機器管理装置（１０，１１０，２１０，３１０ａ，３１０ｂ，・・・）は、前記関係者の関係者識別子を含む認証情報を前記第１ネットワーク（４０，２８０）経由で前記関係者管理装置（３０）から受信し、前記関係者管理装置（３０）において前記管理プログラムが実行されるようにするために、前記関連付け情報を前記管理プログラムとともに前記第１ネットワーク（４０，２８０）経由で前記関係者管理装置（３０）へ送信する、
設備機器管理システム（１，１００，２００，３００）。
【請求項９】
設備機器（６０ａ，・・・）の関係者の要求が入力される関係者管理装置（３０）から第１ネットワーク（４０，２８０）経由で前記関係者の要求が伝達され、前記関係者の要求に応じて、第２ネットワーク（７０，３７０ａ，３７０ｂ，・・・）経由で前記設備機器（６０ａ，・・・）が管理される設備機器管理方法であって、
前記関係者の関係者識別子を含む認証情報が前記第１ネットワーク（４０，２８０）経由で前記関係者管理装置（３０）から受信される第１ステップと、
前記設備機器（６０ａ，・・・）が管理されるためのプログラムである管理プログラムと前記関係者識別子とが関連付けられた情報である関連付け情報が、前記管理プログラムとともに生成される第２ステップと、
前記関係者管理装置（３０）において前記管理プログラムが実行されるようにするために、前記関連付け情報が前記管理プログラムとともに前記第１ネットワーク（４０，２８０）経由で前記関係者管理装置（３０）へ送信される第３ステップと、
を備えた、
設備機器管理方法。
【請求項１０】
設備機器（６０ａ，・・・）の関係者の要求が入力される関係者管理装置（３０）に第１ネットワーク（４０，２８０）経由で接続され、前記関係者の要求に応じて、第２ネットワーク（７０，３７０ａ，３７０ｂ，・・・）経由で前記設備機器（６０ａ，・・・）を管理する設備機器管理装置（１０，１１０，２１０，３１０ａ，３１０ｂ，・・・）に、前記設備機器（６０ａ，・・・）を管理させる設備機器管理プログラムであって、
前記関係者の関係者識別子を含む認証情報が前記第１ネットワーク（４０，２８０）経由で前記関係者管理装置（３０）から受信される第１ステップと、
前記設備機器（６０ａ，・・・）が管理されるためのプログラムである管理プログラムと前記関係者識別子とが関連付けられた情報である関連付け情報が、前記管理プログラムとともに生成される第２ステップと、
前記関係者管理装置（３０）において前記管理プログラムが実行されるようにするために、前記関連付け情報が前記管理プログラムとともに前記第１ネットワーク（４０，２８０）経由で前記関係者管理装置（３０）へ送信される第３ステップと、
を備えた、
設備機器管理プログラム。
【発明の詳細な説明】
【技術分野】
【０００１】
本発明は、設備機器管理装置、設備機器管理システム、設備機器管理方法及び設備機器管理プログラムに関する。
【背景技術】
【０００２】
従来から、複数の関係者に対してサーバから情報の受発信を行う際に、関係者の属性に応じてサーバへのアクセスを制限することが行われている（例えば、特許文献１，２参照）。すなわち、サーバは関係者の認証を行い、関係者毎にアクセスできる情報を異なったものとしている。
【特許文献１】特開２００１−３０６５２１（第１−１２項、図１−図１０）
【特許文献２】特開２０００−１７２６４６（第１−８項、図１−図８）
【発明の開示】
【発明が解決しようとする課題】
【０００３】
従来の技術では、サーバに対して関係者が処理を要求した場合、その処理の多くは、サーバで行われている。そのため、サーバに対して関係者が処理を要求するたびに、関係者の認証が要求されることは少ない。すなわち、サーバに対して関係者が処理を最初に要求した際に、関係者の認証が行われ、関係者の認証の情報がサーバにおいて一時的に記憶されるとともに、サーバ側で処理が行われる。そして、同じ関係者が再び処理を要求した際は、その一時的に記憶している関係者の認証の情報がサーバにおいて参照されるため、関係者の認証が関係者に要求される必要性が低い。
【０００４】
一方、ビルなどの電力、照明、空調、防災などの設備機器を統合管理するシステムとして、設備機器管理システムが普及している。例えば、図１１に示す設備機器管理システム５００がある。この設備機器管理システム５００において、設備機器をネットワーク経由で管理する設備機器管理装置５１０は、要求される処理に単純な処理が多いため、複雑な処理をクライアント側（関係者管理装置５３０）に行わせている。そのため、関係者が処理を要求するたびに、関係者の認証が関係者に要求されることがある。
【０００５】
すなわち、関係者管理装置５３０が設備機器管理装置５１０へアクセスした際に、関係者の認証が関係者に要求され、関係者管理装置５３０に入力された認証情報５３２がネットワーク経由で関係者管理装置５３０から設備機器管理装置５１０へ送信され（データの流れ５９１）、設備機器管理装置５１０で関係者の認証が行われる。ＷＥＢサーバ５２０は、認証情報５３２と認証情報データベース１７との照合結果を受け取り（データの流れ５９２）、関係者を認証する。そして、ＷＥＢサーバ５２０は、ＨＴＭＬファイル５２２を関係者管理装置５３０へ送信するように命令を出す（制御の流れ５９３）。ここで、ＨＴＭＬファイル５２２は、設備機器管理装置５１０において静的に記憶されているファイルであり、主として、設備機器を管理するためのプログラムである管理プログラム（例えば、Ｊａｖａアプレット５２３）を備える。
【０００６】
ＨＴＭＬファイル５２２がネットワーク経由で設備機器管理装置５１０から関係者管理装置５３０へ送信される（データの流れ５９４）。そして、クライアント側（関係者管理装置２３０）で処理が行われる。すなわち、管理プログラム（例えば、Ｊａｖａアプレット５２３）が、クライアント側（関係者管理装置５３０）において、情報を関係者に閲覧させるためのプログラムである閲覧プログラム（例えば、ＷＥＢブラウザ５３１）を介して実行される。関係者の認証の情報をクライアントにおいて参照できないため（禁止されているデータの流れ５９６）、関係者の認証をして欲しい旨の要求と関係者の要求とがネットワーク経由で関係者管理装置５３０から設備機器管理装置５１０へ送信される（データの流れ５９７）。
【０００７】
そして、関係者の認証が関係者に再び要求され（データの流れ５９８）、関係者管理装置５３０に認証情報５３２が再度入力される。そして、認証情報５３２がネットワーク経由で関係者管理装置５３０から設備機器管理装置５１０へ送信され（データの流れ５９１）、設備機器管理装置５１０のＷＥＢサーバ５２０で関係者の認証が再び行われる。ここで、関係者の認証の情報をクライアントにおいて参照できない（禁止されているデータの流れ５９６）のは、管理プログラム（例えば、Ｊａｖａアプレット５２３）のセキュリティー上の要請があるからである。
【０００８】
このように、関係者が処理を要求するたびに、関係者の認証が要求されることがあるため、管理プログラム（例えば、Ｊａｖａアプレット５２３）による設備機器の管理が煩雑なことがあり、関係者が設備機器の管理をする際に負担となることがある。
そこで、本発明の課題は、関係者が設備機器の管理をする際の負担を低減することができる設備機器管理装置、設備機器管理システム、設備機器管理方法及び設備機器管理プログラムを提供することにある。
【課題を解決するための手段】
【０００９】
請求項１に係る設備機器管理装置は、設備機器の関係者の要求が入力される関係者管理装置に第１ネットワーク経由で接続され、関係者の要求に応じて、第２ネットワーク経由で設備機器を管理する設備機器管理装置である。設備機器管理装置は、第１送受信部と生成部とを備える。第１送受信部は、関係者の関係者識別子を含む認証情報を第１ネットワーク経由で関係者管理装置から受信する。生成部は、関連付け情報を管理プログラムとともに生成する。関連付け情報は、管理プログラムと関係者識別子とを関連付けた情報である。管理プログラムは、設備機器を管理するためのプログラムである。第１送受信部は、関係者管理装置において管理プログラムが実行されるようにするために、関連付け情報を管理プログラムとともに第１ネットワーク経由で関係者管理装置へ送信する。
【００１０】
この設備機器管理装置では、第１送受信部が、関係者の関係者識別子を含む認証情報を第１ネットワーク経由で関係者管理装置から受信する。生成部が、関係者識別子の情報を受け取ることができる。生成部が、関連付け情報を管理プログラムとともに生成する。第１送受信部が、関連付け情報を管理プログラムとともに受け取ることができる。第１送受信部が、関係者管理装置において管理プログラムが実行されるようにするために、関連付け情報を管理プログラムとともに第１ネットワーク経由で関係者管理装置へ送信する。
【００１１】
したがって、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００１２】
なお、「管理プログラムとともに」とは、管理プログラムが関連付け情報に含まれている場合だけでなく、管理プログラムが関連付け情報に含まれていないが一緒に送信される場合も含む。
請求項２に係る設備機器管理装置は、請求項１に記載の設備機器管理装置であって、記憶部と認証部と情報提供部とをさらに備える。記憶部は、対応付け情報を記憶する。対応付け情報は、関係者識別子と設備機器の識別子とを対応付けた情報である。認証部は、認証情報に基づいて、関係者を認証する。情報提供部は、対応付け情報に基づいて、対応機器情報を関係者の要求に応じて提供する。対応機器情報は、認証部が認証した関係者の関係者識別子に対応する設備機器に関する情報である。
【００１３】
この設備機器管理装置では、第１送受信部が、関係者の関係者識別子を含む認証情報を第１ネットワーク経由で関係者管理装置から受信することができる。認証部が、認証情報を受け取ることができる。認証部が、認証情報に基づいて、関係者を認証する。記憶部が、対応付け情報を記憶する。第１送受信部が、関係者の要求を第１ネットワーク経由で関係者管理装置から受信することができる。情報提供部が、認証情報と関係者の要求とを受け取ることができる。情報提供部が、認証情報と対応付け情報とに基づいて、対応機器情報を決めることができる。情報提供部が、対応付け情報に基づいて、対応機器情報を関係者の要求に応じて提供する。
【００１４】
したがって、認証部が認証した関係者の関係者識別子に対応する設備機器に関する情報である対応機器情報を、認証情報と対応付け情報とに基づいて決めることができる。このため、関係者毎に管理可能な設備機器を異ならせることができる。
請求項３に係る設備機器管理装置は、請求項２に記載の設備機器管理装置であって、生成部は、閲覧プログラムを介して関係者管理装置において管理プログラムが実行されるようにするために、閲覧プログラムを介して実行可能な管理プログラムを生成する。閲覧プログラムは、対応機器情報を関係者に閲覧させるためのプログラムである。
【００１５】
この設備機器管理装置では、生成部が、閲覧プログラムを介して関係者管理装置において管理プログラムが実行されるようにするために、閲覧プログラムを介して実行可能な管理プログラムを生成する。生成部が、関連付け情報を管理プログラムとともに生成する。第１送受信部が、関連付け情報を管理プログラムとともに受け取ることができる。第１送受信部が、関係者管理装置において管理プログラムが実行されるようにするために、関連付け情報を管理プログラムとともに第１ネットワーク経由で関係者管理装置へ送信する。
【００１６】
したがって、関係者が閲覧プログラムを介して管理プログラムを実行して、対応機器情報を関係者に閲覧させることができる。このため、関係者の利便性を向上することができる。
請求項４に係る設備機器管理装置は、請求項１から３のいずれかに記載の設備機器管理装置であって、第１送受信部は、関係者の要求を第１ネットワーク経由で関係者管理装置から受信する。設備機器管理装置は、第２送受信部をさらに備える。第２送受信部は、管理指令を第２ネットワーク経由で設備機器へ送信する。管理指令は、設備機器を管理するための指令である。
【００１７】
この設備機器管理装置では、第１送受信部が、関係者の関係者識別子を含む認証情報を第１ネットワーク経由で関係者管理装置から受信する。生成部が、関係者識別子の情報を受け取ることができる。生成部が、関連付け情報を管理プログラムとともに生成する。第１送受信部が、関連付け情報を管理プログラムとともに受け取ることができる。第１送受信部は、関係者管理装置において管理プログラムが実行されるようにするために、関連付け情報を管理プログラムとともに第１ネットワーク経由で関係者管理装置へ送信する。管理プログラムが実行されることにより、関係者の要求が、関係者管理装置から第１ネットワークを経由して第１送受信部で受信される。第２送受信部が、関係者の要求に基づいた情報を受け取ることができる。第２送受信部が、関係者の要求に基づいて、管理指令を第２ネットワーク経由で設備機器へ送信する。
【００１８】
したがって、管理指令を第２ネットワーク経由で設備機器へ送信するので、第２ネットワーク経由で設備機器を関係者の要求に応じて管理することができる。
請求項５に係る設備機器管理装置は、請求項１から４のいずれかに記載の設備機器管理装置であって、設備機器は空気調和機である。
この設備機器管理装置では、設備機器が空気調和機である。管理プログラムが、空気調和機を管理するためのプログラムである。第１送受信部が、関係者の関係者識別子を含む認証情報を第１ネットワーク経由で関係者管理装置から受信する。生成部が、関係者識別子の情報を受け取ることができる。生成部が、関連付け情報を管理プログラムとともに生成する。第１送受信部が、関連付け情報を管理プログラムとともに受け取ることができる。第１送受信部が、関係者管理装置において管理プログラムが実行されるようにするために、関連付け情報を管理プログラムとともに第１ネットワーク経由で関係者管理装置へ送信する。
【００１９】
したがって、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が空気調和機の管理をする際の負担を低減することができる。
【００２０】
請求項６に係る設備機器管理システムは、請求項１から５のいずれかに記載の設備機器管理装置と関係者管理装置とを備える。関係者管理装置では、管理プログラムが実行されることにより関係者の要求が入力される。関係者管理装置は、第１ネットワークで設備機器管理装置に接続されている。
この設備機器管理システムでは、関係者管理装置が、第１ネットワークで設備機器管理装置に接続されており、関係者識別子を含む認証情報を第１ネットワーク経由で送信することができる。設備機器管理装置の第１送受信部が、関係者の関係者識別子を含む認証情報を第１ネットワーク経由で関係者管理装置から受信する。設備機器管理装置の生成部が、関係者識別子の情報を受け取ることができる。設備機器管理装置の生成部が、関連付け情報を管理プログラムとともに生成する。設備機器管理装置の第１送受信部が、関連付け情報を管理プログラムとともに受け取ることができる。設備機器管理装置の第１送受信部が、関係者管理装置において管理プログラムが実行されるようにするために、関連付け情報を管理プログラムとともに第１ネットワーク経由で関係者管理装置へ送信する。関係者管理装置が、関連付け情報を管理プログラムとともに第１ネットワーク経由で設備機器管理装置から受信することができる。関係者管理装置において、管理プログラムが実行されることにより関係者の要求が入力され、その際に関連付け情報が参照され得る。
【００２１】
したがって、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００２２】
請求項７に係る設備機器管理システムは、請求項１から５のいずれかに記載の１以上の設備機器管理装置と関係者管理装置と中央管理装置とを備える。関係者管理装置には、１以上の設備機器についての関係者の要求が入力される。関係者管理装置は、第１ネットワークで１以上の設備機器管理装置に接続されている。中央管理装置は、第３ネットワークで１以上の設備機器管理装置に接続されている。中央管理装置は、１以上の設備機器管理装置を介して１以上の設備機器をそれぞれ管理する。
【００２３】
この設備機器管理システムでは、関係者管理装置が、第１ネットワークで１以上の設備機器管理装置に接続されており、関係者識別子を含む認証情報を第１ネットワーク経由で送信することができる。１以上の設備機器管理装置の第１送受信部が、関係者の関係者識別子を含む認証情報を第１ネットワーク経由で関係者管理装置から受信することができる。１以上の設備機器管理装置の生成部が、関係者識別子の情報を受け取ることができる。１以上の設備機器管理装置の生成部が、関連付け情報を管理プログラムとともに生成する。１以上の設備機器管理装置の第１送受信部が、関連付け情報を管理プログラムとともに受け取ることができる。１以上の設備機器管理装置の第１送受信部が、関係者管理装置において管理プログラムが実行されるようにするために、関連付け情報を管理プログラムとともに第１ネットワーク経由で関係者管理装置へ送信する。関係者管理装置が、関連付け情報を管理プログラムとともに第１ネットワーク経由で１以上の設備機器管理装置から受信することができる。関係者管理装置において、管理プログラムが実行されることにより関係者の要求が入力され、その際に関連付け情報が参照され得る。１以上の設備機器管理装置の第１送受信部が、関係者の要求を第１ネットワーク経由で関係者管理装置から受信することができる。関係者の要求が１以上の設備機器管理装置に接続された１以上の設備機器を管理したいというものである場合、中央管理装置が、関係者の要求を受け取ることができる。中央管理装置が、１以上の設備機器管理装置を介して１以上の設備機器をそれぞれ管理する。１以上の設備機器管理装置における第２送受信部が、関係者の要求を受け取ることができる。１以上の設備機器管理装置における第２送受信部が、関係者の要求に基づいて、管理指令を第２ネットワーク経由で１以上の設備機器へ送信する。
【００２４】
したがって、中央管理装置を備えることにより、１以上の設備機器管理装置に接続された１以上の設備機器の管理も、関係者管理装置から行うことができる。また、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００２５】
請求項８に係る設備機器管理システムは、関係者管理装置と設備機器管理装置と閲覧サーバとを備える。関係者管理装置には、管理プログラムが実行されて設備機器の関係者の要求が入力される。管理プログラムは、設備機器を管理するためのプログラムである。設備機器管理装置は、関係者管理装置に第１ネットワーク経由で接続され、関係者の要求に応じて、第２ネットワーク経由で設備機器を管理する。閲覧サーバは、閲覧プログラムを介して関係者管理装置において管理プログラムが実行されるようにするために、閲覧プログラムを介して実行可能な管理プログラムを生成する。閲覧プログラムは、対応機器情報を関係者に閲覧させるためのプログラムである。対応機器情報は、設備機器管理装置で認証された関係者の関係者識別子に対応する設備機器に関する情報である。設備機器管理装置は、関係者の関係者識別子を含む認証情報を第１ネットワーク経由で関係者管理装置から受信する。設備機器管理装置は、関係者管理装置において管理プログラムが実行されるようにするために、関連付け情報を管理プログラムとともに第１ネットワーク経由で関係者管理装置へ送信する。
【００２６】
この設備機器管理システムでは、関係者管理装置が、第１ネットワークで設備機器管理装置に接続されており、関係者識別子を含む認証情報を第１ネットワーク経由で送信することができる。設備機器管理装置が、関係者の関係者識別子を含む認証情報を第１ネットワーク経由で関係者管理装置から受信する。閲覧サーバが、関係者識別子の情報を受け取ることができる。閲覧サーバが、関連付け情報を管理プログラムとともに生成する。閲覧サーバが、閲覧プログラムを介して実行可能な管理プログラムを生成する。設備機器管理装置が、関連付け情報を管理プログラムとともに受け取ることができる。設備機器管理装置が、関係者管理装置において管理プログラムが実行されるようにするために、関連付け情報を管理プログラムとともに第１ネットワーク経由で関係者管理装置へ送信する。関係者管理装置が、関連付け情報を管理プログラムとともに第１ネットワーク経由で設備機器管理装置から受信することができる。関係者管理装置において、管理プログラムが閲覧プログラムを介して実行されることにより関係者の要求が入力され、その際に関連付け情報が参照され得る。
【００２７】
したがって、関係者が閲覧プログラムを介して管理プログラムを実行して、対応機器情報を関係者に閲覧させることができる。このため、関係者の利便性を向上することができる。また、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００２８】
なお、閲覧サーバは、設備機器管理装置に組み込まれていてもよいし、設備機器管理装置とは別に備えられていてもよい。閲覧サーバが設備機器管理装置と別に備えられている場合、閲覧サーバと設備機器管理装置との間におけるデータの受け渡しは、ネットワーク経由で行われてもよい。「管理プログラムとともに」とは、管理プログラムが関連付け情報に含まれている場合だけでなく、管理プログラムが関連付け情報に含まれていないが一緒に送信される場合も含む。
【００２９】
請求項９に係る設備機器管理方法は、設備機器の関係者の要求が入力される関係者管理装置から第１ネットワーク経由で関係者の要求が伝達され、関係者の要求に応じて、第２ネットワーク経由で設備機器が管理される設備機器管理方法である。設備機器管理方法は、第１ステップと第２ステップと第３ステップとを備える。第１ステップでは、関係者の関係者識別子を含む認証情報が第１ネットワーク経由で関係者管理装置から受信される。第２ステップでは、関連付け情報が管理プログラムとともに生成される。関連付け情報は、管理プログラムと関係者識別子とが関連付けられた情報である。管理プログラムは、設備機器が管理されるためのプログラムである。第３ステップでは、関係者管理装置において管理プログラムが実行されるようにするために、関連付け情報が管理プログラムとともに第１ネットワーク経由で関係者管理装置へ送信される。
【００３０】
この設備機器管理方法では、第１ステップにおいて、関係者の関係者識別子を含む認証情報が第１ネットワーク経由で関係者管理装置から受信される。第２ステップにおいて、関係者識別子の情報が受け取られ得る。第２ステップにおいて、関連付け情報が管理プログラムとともに生成される。第３ステップにおいて、関連付け情報が管理プログラムとともに受け取られ得る。第３ステップにおいて、関係者管理装置において管理プログラムが実行されるようにするために、関連付け情報が管理プログラムとともに第１ネットワーク経由で関係者管理装置へ送信される。
【００３１】
したがって、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００３２】
なお、「管理プログラムとともに」とは、管理プログラムが関連付け情報に含まれている場合だけでなく、管理プログラムが関連付け情報に含まれていないが一緒に送信される場合も含む。
請求項１０に係る設備機器管理プログラムは、設備機器管理装置に設備機器を管理させる設備機器管理プログラムである。設備機器管理装置は、設備機器の関係者の要求が入力される関係者管理装置に第１ネットワーク経由で接続され、関係者の要求に応じて、第２ネットワーク経由で設備機器を管理する。設備機器管理プログラムは、第１ステップと第２ステップと第３ステップとを備える。第１ステップでは、関係者の関係者識別子を含む認証情報が第１ネットワーク経由で関係者管理装置から受信される。第２ステップでは、関連付け情報が管理プログラムとともに生成される。関連付け情報は、管理プログラムと関係者識別子とが関連付けられた情報である。管理プログラムは、設備機器が管理されるためのプログラムである。第３ステップでは、関係者管理装置において管理プログラムが実行されるようにするために、関連付け情報が管理プログラムとともに第１ネットワーク経由で関係者管理装置へ送信される。
【００３３】
この設備機器管理プログラムでは、第１ステップにおいて、関係者の関係者識別子を含む認証情報が第１ネットワーク経由で関係者管理装置から受信される。第２ステップにおいて、関係者識別子の情報が受け取られ得る。第２ステップにおいて、関連付け情報が管理プログラムとともに生成される。第３ステップにおいて、関連付け情報が管理プログラムとともに受け取られ得る。第３ステップにおいて、関係者管理装置において管理プログラムが実行されるようにするために、関連付け情報が管理プログラムとともに第１ネットワーク経由で関係者管理装置へ送信される。
【００３４】
したがって、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００３５】
なお、「管理プログラムとともに」とは、管理プログラムが関連付け情報に含まれている場合だけでなく、管理プログラムが関連付け情報に含まれていないが一緒に送信される場合も含む。
【発明の効果】
【００３６】
請求項１に係る設備機器管理装置では、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００３７】
請求項２に係る設備機器管理装置では、認証部が認証した関係者の関係者識別子に対応する設備機器に関する情報である対応機器情報を、認証情報と対応付け情報とに基づいて決めることができる。このため、関係者毎に管理可能な設備機器を異ならせることができる。
請求項３に係る設備機器管理装置では、関係者が閲覧プログラムを介して管理プログラムを実行して、対応機器情報を関係者に閲覧させることができる。このため、関係者の利便性を向上することができる。
【００３８】
請求項４に係る設備機器管理装置では、管理指令を第２ネットワーク経由で設備機器へ送信するので、第２ネットワーク経由で設備機器を関係者の要求に応じて管理することができる。
請求項５に係る設備機器管理装置では、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が空気調和機の管理をする際の負担を低減することができる。
【００３９】
請求項６に係る設備機器管理システムでは、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００４０】
請求項７に係る設備機器管理システムでは、中央管理装置を備えることにより、１以上の設備機器管理装置に接続された１以上の設備機器の管理も、関係者管理装置から行うことができる。また、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００４１】
請求項８に係る設備機器管理システムでは、関係者が閲覧プログラムを介して管理プログラムを実行して、対応機器情報を関係者に閲覧させることができる。このため、関係者の利便性を向上することができる。また、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００４２】
請求項９に係る設備機器管理方法では、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【００４３】
請求項１０に係る設備機器管理プログラムでは、管理プログラムと関係者識別子とを関連付けた情報である関連付け情報を生成することにより、管理プログラムが関連付け情報を参照して関係者識別子を特定することができる。このため、管理プログラムを実行するたびに認証が要求されることを低減することができるので、関係者が設備機器の管理をする際の負担を低減することができる。
【発明を実施するための最良の形態】
【００４４】
［第１実施形態］
図１に、本発明の第１実施形態にかかる設備機器管理システム１の構成図を示す。図１に示す設備機器管理システム１は、設備機器６０ａ，６０ｂ，・・・を管理するためのシステムである。
＜設備機器管理システム１の全体構成＞
図１に示す設備機器管理システム１は、主として、設備機器管理装置１０，関係者管理装置３０，中央管理装置５０，設備機器群６０（６０ａ，６０ｂ，・・・），ネットワーク４０及びネットワーク７０を備える。
【００４５】
設備機器管理装置１０と関係者管理装置３０と中央管理装置５０とは、互いにネットワーク４０で接続されている。設備機器管理装置１０と設備機器群６０（６０ａ，６０ｂ，・・・）とは、ネットワーク７０で接続されている。
＜関係者管理装置３０の構成＞
図１に示すように、関係者管理装置３０は、主として、ＷＥＢブラウザ３１を備える。関係者管理装置３０は、例えば、パソコンやワークステーションなどである。ＷＥＢブラウザ３１は、設備機器６０ａ，６０ｂ，・・・の情報を関係者に閲覧させるためのプログラムである。関係者管理装置３０は、設備機器６０ａ，６０ｂ，・・・の関係者が使用する装置である。
【００４６】
関係者管理装置３０が設備機器管理装置１０へアクセスした際に、関係者管理装置３０の表示画面（図示せず）に認証情報を要求する画面が表示され、関係者管理装置３０に認証情報３２（図４参照）が入力される。関係者管理装置３０は、認証情報３２（図４参照）をネットワーク４０経由で設備機器管理装置１０へ送信する。
関係者管理装置３０は、ＨＴＭＬファイル２２（図４参照）をネットワーク４０経由で設備機器管理装置１０から受信する。ＨＴＭＬファイル２２（図４参照）は、主として、関係者識別子２４（図４参照）とＪａｖａアプレット２３（図４参照）とを備える。ここで、Ｊａｖａアプレットとは、Ｊａｖａ言語で作成された小さなソフトウェアのことである。関係者管理装置３０では、Ｊａｖａアプレット２３（図４参照）が実行されることにより関係者の要求が入力される。Ｊａｖａアプレット２３（図４参照）により、関係者識別子２４（図４参照）が参照され、認証済みであると認識される。関係者管理装置３０は、第１ネットワークで設備機器管理装置１０に接続されており、認証済みである旨の情報と関係者の要求とをネットワーク４０経由で設備機器管理装置１０へ送信する。
【００４７】
関係者管理装置３０は、対応機器情報をネットワーク４０経由で設備機器管理装置１０から受信する。そして、関係者管理装置３０の表示画面（図示せず）に、ＷＥＢブラウザ３１を介して、対応機器情報が表示される。
＜設備機器管理装置１０の構成＞
図１に示す設備機器管理装置１０は、主として、第１送受信部１１，情報提供部１３，第２送受信部１５，記憶部１６及びＷＥＢサーバ２０を備える。ＷＥＢサーバ２０は、主として、生成部２１と認証部１２とを有する。記憶部１６は、主として、認証情報データベース１７，対応付け情報１８及び設備機器データベース１９を有する。
【００４８】
第１送受信部１１が、関係者の関係者識別子を含む認証情報３２（図４参照）をネットワーク４０経由で関係者管理装置３０から受信する。ＷＥＢサーバ２０の認証部１２が、認証情報３２（図４参照）を第１送受信部１１から受け取る。認証部１２が、記憶部１６の認証情報データベース１７を参照して、認証情報３２（図４参照）と認証情報データベース１７の記憶内容とを照合する。これにより、認証部１２が、関係者を認証する。ＷＥＢサーバ２０の生成部２１が、関係者を認証した旨の情報と認証情報３２（図４参照）とを認証部１２から受け取る。生成部２１が、ＨＴＭＬファイル２２（図４参照）をＪａｖａアプレット２３（図４参照）とともに生成して、認証部１２へ渡す。ここで、ＨＴＭＬファイル２２（図４参照）は、認証情報３２（図４参照）に含まれていた関係者識別子２４（図４参照）と、Ｊａｖａアプレット２３（図４参照）と、を備える。第１送受信部１１が、ＨＴＭＬファイル２２（図４参照）をＪａｖａアプレット２３（図４参照）とともに認証部１２から受け取る。第１送受信部１１が、関係者管理装置３０においてＪａｖａアプレット２３（図４参照）が実行されるようにするために、ＨＴＭＬファイル２２（図４参照）をＪａｖａアプレット２３（図４参照）とともにネットワーク４０経由で関係者管理装置３０へ送信する。
【００４９】
第１送受信部１１は、認証済みである旨の情報と関係者の要求とをネットワーク４０経由で関係者管理装置３０から受信する。記憶部１６が、関係者識別子１８１（図６参照）と設備機器識別子１８２（図６参照）とを対応付けた情報である対応付け情報１８を記憶している。情報提供部１３が、認証情報３２（図４参照）を認証部１２から受け取り、関係者の要求を第１送受信部１１から受け取る。情報提供部１３が、記憶部１６の対応付け情報１８を参照して、認証部１２が認証した関係者の関係者識別子に対応する設備機器である対応機器を決める。例えば、図６に示すように、関係者識別子１８１が「ｕ００１」である場合、対応機器の設備機器識別子１８２を「ｄ００１」すなわち図１に示す設備機器６０ａと決める。図１に示す情報提供部１３が、記憶部１６の設備機器データベース１９を参照して、関係者の要求に基づいて、管理指令を生成する。例えば、図７に示すように、対応機器の設備機器識別子１９１が「ｄ００１」で関係者の要求１９２が「ＳｔａｒｔＣｏｍｍａｎｄ＿００１」である場合、管理指令１９３として「ＯＮ＿００１」を生成する。図１に示す第２送受信部１５が、管理指令を情報提供部１３から受け取る。第２送受信部１５が、関係者の要求に基づいた情報すなわち管理指令に基づいて、管理指令をネットワーク７０経由で対応機器（設備機器）６０ａ，６０ｂ，・・・へ送信する。
【００５０】
管理指令が対応機器（設備機器）６０ａ，６０ｂ，・・・の制御に関するものである場合、第２送受信部１５は、管理情報を送信した旨の情報を情報提供部１３へ渡す。管理指令が対応機器（設備機器）６０ａ，６０ｂ，・・・の監視に関するものである場合、第２送受信部１５は、管理指令に対する応答の信号を、ネットワーク７０経由で対応機器（設備機器）６０ａ，６０ｂ，・・・から受信し、情報提供部１３へ渡す。情報提供部１３が、対応付け情報１８に基づいて、対応機器の情報である対応機器情報を第１送受信部１１へ渡す。対応機器情報は、例えば、対応機器（設備機器）６０ａ，６０ｂ，・・・の設備機器識別子及び管理指令の内容（制御の内容）、あるいは対応機器（設備機器）６０ａ，６０ｂ，・・・の設備機器識別子及び管理指令に対する応答の信号（監視の内容）などである。第１送受信部１１が、対応機器情報をネットワーク４０経由で関係者管理装置３０へ送信する。
【００５１】
＜中央管理装置５０の構成＞
図１に示す中央管理装置５０は、ネットワーク４０で関係者管理装置３０や設備機器管理装置１０に接続されている。中央管理装置５０は、ネットワーク４０と設備機器管理装置１０とネットワーク７０とを介して、設備機器群６０（６０ａ，６０ｂ，・・・）を管理する。
【００５２】
＜設備機器群６０（６０ａ，６０ｂ，・・・）の構成＞
図１に示す設備機器６０ａは、例えば、ビルなどの電力、照明、空調、防災などの設備機器である。すなわち、設備機器６０ａは、例えば、電力設備、照明機器、空気調和機、防災機器などである。
設備機器６０ａは、設備機器管理装置１０からネットワーク７０経由で管理指令を受信する。管理指令が設備機器６０ａの監視に関するものであるか否かを、設備機器６０ａが判断する。管理指令が設備機器６０ａの監視に関するものでないと判断された場合、すなわち管理指令が設備機器６０ａの制御に関するものであると判断された場合、設備機器６０ａは、管理指令に従って制御される。例えば、管理指令が図７に示す「ＯＮ＿００１」である場合、設備機器６０ａがＯＮされる。管理指令が設備機器６０ａの監視に関するものであると判断された場合、設備機器６０ａは、管理指令に従って、管理指令に対する応答の信号を、生成して、ネットワーク７０経由で設備機器６０ａから設備機器管理装置１０へ送信する。例えば、管理指令が図７に示す「ＴｅｍｐＳｔａｔｕｓ＿００１」である場合、設備機器６０ａ付近の温度の情報が測定され、その情報が、ネットワーク７０経由で設備機器６０ａから設備機器管理装置１０へ送信される。
【００５３】
他の設備機器６０ｂ，・・・も、設備機器６０ａと同様である。
＜記憶部１６の認証情報データベース１７の構成＞
図１に示す記憶部１６の認証情報データベース１７は、図５に示すように、主として、関係者識別子１７１とパスワード１７２とを備える。
図１に示す認証部１２が受け取った認証情報３２（図４参照）における関係者識別子が図５に示す関係者識別子１７１と照合され、図１に示す認証部１２が受け取った認証情報３２（図４参照）におけるパスワードが図５に示すパスワード１７２と照合される。関係者識別子とパスワードとがともに一致していた場合、図１に示す認証部１２が、関係者を認証する。例えば、図５に示すように、関係者識別子が「ｕ００１」でパスワードが「ＺＺＺＺＺＺ」である場合、図１に示す認証部１２が、関係者を認証する。
【００５４】
＜記憶部１６の対応付け情報１８の構成＞
図１に示す記憶部１６の対応付け情報１８は、図６に示すように、主として、関係者識別子１８１と設備機器識別子１８２とを備える。
図１に示す情報提供部１３が、記憶部１６の対応付け情報１８を参照して、認証部１２が認証した関係者の関係者識別子に対応する設備機器である対応機器を決める。例えば、図６に示すように、関係者識別子１８１が「ｕ００１」である場合、設備機器識別子１８２を「ｄ００１」と決める。
【００５５】
＜記憶部１６の設備機器データベース１９の構成＞
図１に示す記憶部１６の設備機器データベース１９は、図７に示すように、主として、設備機器識別子１９１と関係者の要求１９２と管理指令１９３とを備える。
情報提供部１３が、記憶部１６の設備機器データベース１９を参照して、関係者の要求に基づいて、管理指令を生成する。例えば、図７に示すように、対応機器の設備機器識別子１９１が「ｄ００１」で関係者の要求１９２が「ＳｔａｒｔＣｏｍｍａｎｄ＿００１」である場合、管理指令１９３として「ＯＮ＿００１」を生成する。
【００５６】
＜設備機器管理システム１が設備機器６０ａ，６０ｂ，・・・を管理する処理の流れ＞
設備機器管理システム１が設備機器６０ａ，６０ｂ，・・・を管理する処理の流れを、図２及び図３に示すフローチャートを用いて説明する。なお、設備機器管理システム１が設備機器６０ａを管理する場合の処理の流れを説明するが、設備機器管理システム１が他の設備機器６０ｂ，・・・を管理する場合も同様である。
【００５７】
図２に示すステップＳ１では、図１に示す設備機器管理装置１０が関係者管理装置３０によってアクセスされる。すなわち、関係者管理装置３０により設備機器管理装置１０へアクセスされ、関係者管理装置３０の表示画面（図示せず）に認証情報を要求する画面が表示される。
図２に示すステップＳ２では、認証情報が入力される。すなわち、図１に示す関係者管理装置３０の表示画面（図示せず）に表示された認証情報を要求する画面に、認証情報３２（図４参照）が入力される。例えば、関係者識別子とパスワードが入力される。そして、関係者管理装置３０により、認証情報３２（図４参照）がネットワーク４０経由で設備機器管理装置１０へ送信される。
【００５８】
図２に示すステップＳ３では、認証が行われる。すなわち、図１に示す第１送受信部１１により、関係者の関係者識別子を含む認証情報３２（図４参照）が図１に示すネットワーク４０経由で関係者管理装置３０から受信される。ＷＥＢサーバ２０の認証部１２により、認証情報３２（図４参照）が第１送受信部１１から受け取られる。認証部１２により、記憶部１６の認証情報データベース１７が参照され、認証情報３２（図４参照）と認証情報データベース１７の記憶内容とが照合される。このようにして、認証部１２により、関係者が認証される。
【００５９】
図２に示すステップＳ４では、ＨＴＭＬファイルが生成される。すなわち、ＷＥＢサーバ２０の生成部２１により、関係者を認証した旨の情報と認証情報３２（図４参照）とが認証部１２から受け取られる。生成部２１により、ＨＴＭＬファイル２２（図４参照）がＪａｖａアプレット２３（図４参照）とともに生成され、認証部１２へ渡される。ここで、ＨＴＭＬファイル２２（図４参照）は、認証情報３２（図４参照）に含まれていた関係者識別子２４（図４参照）と、Ｊａｖａアプレット２３（図４参照）と、が備えられている。
【００６０】
図２に示すステップＳ５では、ＨＴＭＬファイルが送信される。すなわち、図１に示す第１送受信部１１により、ＨＴＭＬファイル２２（図４参照）がＪａｖａアプレット２３（図４参照）とともに認証部１２から受け取られる。第１送受信部１１により、関係者管理装置３０においてＪａｖａアプレット２３（図４参照）が実行されるようにするために、ＨＴＭＬファイル２２（図４参照）がＪａｖａアプレット２３（図４参照）とともにネットワーク４０経由で関係者管理装置３０へ送信される（図２で示す（１））。
【００６１】
図２に示すステップＳ６では、Ｊａｖａアプレットが実行される。すなわち、図１に示す関係者管理装置３０により、ＨＴＭＬファイル２２（図４参照）がネットワーク４０経由で設備機器管理装置１０から受信される。ここで、ＨＴＭＬファイル２２（図４参照）は、主として、関係者識別子２４（図４参照）とＪａｖａアプレット２３（図４参照）とが備えられている。関係者管理装置３０では、Ｊａｖａアプレット２３（図４参照）が実行されることにより関係者の要求が入力される。Ｊａｖａアプレット２３（図４参照）により、関係者識別子２４（図４参照）が参照され、認証済みであると認識される。関係者管理装置３０により、認証済みである旨の情報と関係者の要求とがネットワーク４０経由で設備機器管理装置１０へ送信される。
【００６２】
図２に示すステップＳ７では、対応機器情報が決定される。すなわち、図１に示す第１送受信部１１により、認証済みである旨の情報と関係者の要求とがネットワーク４０経由で関係者管理装置３０から受信される。記憶部１６により、関係者識別子と設備機器の識別子とを対応付けた情報である対応付け情報が記憶されている。情報提供部１３により、認証情報３２（図４参照）が認証部１２から受け取られ、関係者の要求が第１送受信部１１から受け取られる。情報提供部１３により、記憶部１６の対応付け情報１８が参照されて、認証部１２により認証された関係者の関係者識別子に対応する設備機器である対応機器が決められる。例えば、図６に示すように、関係者識別子１８１が「ｕ００１」である場合、対応機器の設備機器識別子１８２が「ｄ００１」すなわち図１に示す設備機器６０ａと決められる（図２，図３で示す（２））。
【００６３】
図３に示すステップＳ８では、管理指令が送信される。すなわち、図１に示す情報提供部１３により、記憶部１６の設備機器データベース１９が参照され、関係者の要求に基づいて、管理指令が生成される。例えば、図７に示すように、対応機器の設備機器識別子１９１が「ｄ００１」で関係者の要求１９２が「ＳｔａｒｔＣｏｍｍａｎｄ＿００１」である場合、管理指令１９３として「ＯＮ＿００１」が生成される。図１に示す第２送受信部１５により、管理指令が情報提供部１３から受け取られる。第２送受信部１５により、関係者の要求に基づいた情報すなわち管理指令に基づいて、管理指令がネットワーク７０経由で設備機器群６０（６０ａ，６０ｂ，・・・）へ送信される。
【００６４】
図２に示すステップＳ９では、管理指令が図１に示す設備機器６０ａの監視に関するものであるか否かが判断される。すなわち、設備機器６０ａにより、設備機器管理装置１０からネットワーク７０経由で管理指令が受信される。管理指令が設備機器６０ａの監視に関するものであるか否かが、設備機器６０ａにより判断される。管理指令が設備機器６０ａの監視に関するものであると判断された場合は、ステップＳ１０へ進められ、管理指令が設備機器６０ａの監視に関するものでないと判断された場合は、ステップＳ１１へ進められる。
【００６５】
図２に示すステップＳ１０では、設備機器が監視される。すなわち、図１に示す設備機器６０ａにより、管理指令に従って、管理指令に対する応答の信号が、生成され、ネットワーク７０経由で設備機器６０ａから設備機器管理装置１０へ送信される。例えば、管理指令が図７に示す「ＴｅｍｐＳｔａｔｕｓ＿００１」である場合、図１に示す設備機器６０ａ付近の温度の情報が測定され、その情報が、ネットワーク７０経由で設備機器６０ａから設備機器管理装置１０へ送信される。第２送受信部１５により、管理指令に対する応答の信号が、ネットワーク７０経由で設備機器６０ａ，６０ｂ，・・・から受信され、情報提供部１３へ渡される。
【００６６】
図２に示すステップＳ１１では、図１に示す設備機器６０ａが制御される。すなわち、設備機器６０ａは、管理指令に従って制御される。例えば、管理指令が図７に示す「ＯＮ＿００１」である場合、図１に示す設備機器６０ａがＯＮされる。一方、第２送受信部１５により、管理情報を送信した旨の情報が情報提供部１３へ渡される。
図２に示すステップＳ１２では、対応機器情報が提供される。すなわち、図１に示す情報提供部１３により、対応付け情報１８に基づいて、対応機器の情報である対応機器情報が第１送受信部１１へ渡される。対応機器情報は、例えば、対応機器の設備機器識別子及び管理指令の内容（制御の内容）、あるいは対応機器の設備機器識別子及び管理指令に対する応答の信号（監視の内容）などである。第１送受信部１１により、対応機器情報がネットワーク４０経由で関係者管理装置３０へ送信される。関係者管理装置３０により、対応機器情報がネットワーク４０経由で設備機器管理装置１０から受信される。そして、関係者管理装置３０の表示画面（図示せず）に、ＷＥＢブラウザ３１を介して、対応機器情報が表示される。
【００６７】
図２に示すステップＳ１３では、Ｊａｖａアプレットを再度実行するか否かが判断される。再度実行すると判断された場合は、ステップＳ６（図３，図２で示す（１））へ進められ、再度実行しないと判断された場合は、処理が終了される。
＜設備機器管理システム１が設備機器６０ａ，６０ｂ，・・・を管理する際のデータの流れ＞
図１に示す設備機器管理システム１が設備機器６０ａ，６０ｂ，・・・を管理する際のデータの流れを、図４に示す概念図を用いて説明する。
【００６８】
関係者管理装置３０には、ＷＥＢブラウザ３１がインストールされており、ＷＥＢブラウザ３１が立ち上げられて、設備機器管理装置１０にアクセスされる。そして、関係者管理装置３０の表示画面（図示せず）に認証情報を要求する画面が表示される。その画面に認証情報３２が入力される。認証情報３２は、例えば、関係者識別子とパスワードとである。認証情報を要求する画面で送信ボタンが押されると、認証情報３２がネットワーク４０（図１参照）経由で関係者管理装置３０から設備機器管理装置１０へ送信される（データの流れ９１）。認証情報３２は、認証情報データベース１７の内容（図５参照）と照合され、関係者の認証が行われる。
【００６９】
ＷＥＢサーバ２０は、関係者を認証した旨の情報を受け取る（データの流れ９２）。そして、ＷＥＢサーバ２０は、ＨＴＭＬファイル２２をＪａｖａアプレット２３とともに生成して、認証部１２（図１参照）経由で第１送受信部１１（図１参照）へ渡す（データの流れ９３）。ＨＴＭＬファイル２２は、主として、Ｊａｖａアプレット２３と関係者識別子２４とを備える。
【００７０】
ＨＴＭＬファイル２２がネットワーク４０（図１参照）経由で設備機器管理装置１０から関係者管理装置３０へ送信される（データの流れ９４）。関係者管理装置３０の表示画面（図示せず）には、ＷＥＢブラウザ３１を介して、Ｊａｖａアプレット２３のコマンドボタンが表示される。Ｊａｖａアプレット２３のコマンドボタンは、設備機器６０ａ，６０ｂ，・・・を管理するためのものである。Ｊａｖａアプレット２３のコマンドボタンが押されると、すなわち関係者の要求が入力されると、Ｊａｖａアプレット２３により、関係者識別子２４が参照され（データの流れ９６）、認証済みであると認識される。認証済みである旨の情報と関係者の要求とが、ネットワーク４０（図１参照）経由で関係者管理装置３０から設備機器管理装置１０へ送信される（データの流れ９７）。
【００７１】
＜設備機器管理システム１に関する特徴＞
（１）
ここでは、図１に示す第１送受信部１１が、関係者の関係者識別子を含む認証情報３２（図４参照）をネットワーク４０経由で関係者管理装置３０から受信する。生成部２１が、関係者識別子の情報を受け取る。生成部２１が、関係者識別子２４（図４参照）を備えたＨＴＭＬファイル２２（図４参照）をＪａｖａアプレット２３（図４参照）とともに生成する。第１送受信部１１が、ＨＴＭＬファイル２２（図４参照）をＪａｖａアプレット２３（図４参照）とともに受け取る。第１送受信部１１が、関係者管理装置３０においてＪａｖａアプレット２３（図４参照）が実行されるようにするために、ＨＴＭＬファイル２２（図４参照）をＪａｖａアプレット２３（図４参照）とともにネットワーク４０経由で関係者管理装置３０へ送信する。
【００７２】
したがって、Ｊａｖａアプレット２３（図４参照）と関係者識別子２４（図４参照）とを関連付けた情報であるＨＴＭＬファイル２２（図４参照）を生成することにより、Ｊａｖａアプレット２３（図４参照）がＨＴＭＬファイル２２（図４参照）を参照して関係者識別子２４（図４参照）を特定することが可能である。このため、Ｊａｖａアプレット２３（図４参照）を実行するたびに認証が要求されることが低減されるので、関係者が設備機器６０ａ，６０ｂ，・・・の管理をする際の負担が低減される。
【００７３】
（２）
ここでは、図１に示す第１送受信部１１が、関係者の関係者識別子を含む認証情報３２（図４参照）をネットワーク４０経由で関係者管理装置３０から受信する。認証部１２が、認証情報３２（図４参照）を受け取る。認証部１２が、認証情報３２（図４参照）に基づいて、関係者を認証する。記憶部１６が、対応付け情報１８を記憶する。第１送受信部１１が、関係者の要求をネットワーク４０経由で関係者管理装置３０から受信する。情報提供部１３が、認証情報３２（図４参照）と関係者の要求とを受け取る。情報提供部１３が、認証情報３２（図４参照）と対応付け情報１８とに基づいて、対応機器情報を決める。情報提供部１３が、対応付け情報１８に基づいて、対応機器情報を関係者の要求に応じて提供する。
【００７４】
したがって、認証部１２が認証した関係者の関係者識別子に対応する設備機器６０ａ，６０ｂ，・・・に関する情報である対応機器情報を、認証情報３２（図４参照）と対応付け情報１８とに基づいて決める。このため、関係者毎に管理可能な設備機器６０ａ，６０ｂ，・・・を異ならせることが可能である。
（３）
ここでは、図１に示す生成部２１が、ＷＥＢブラウザ３１を介して関係者管理装置３０においてＪａｖａアプレット２３（図４参照）が実行されるようにするために、ＷＥＢブラウザ３１を介して実行可能なＪａｖａアプレット２３（図４参照）を生成する。生成部２１が、ＨＴＭＬファイル２２（図４参照）をＪａｖａアプレット２３（図４参照）とともに生成する。第１送受信部１１が、ＨＴＭＬファイル２２（図４参照）をＪａｖａアプレット２３（図４参照）とともに受け取る。第１送受信部１１が、関係者管理装置３０においてＪａｖａアプレット２３（図４参照）が実行されるようにするために、ＨＴＭＬファイル２２（図４参照）をＪａｖａアプレット２３（図４参照）とともにネットワーク４０経由で関係者管理装置３０へ送信する。
【００７５】
したがって、関係者がＷＥＢブラウザ３１を介してＪａｖａアプレット２３（図４参照）を実行して、対応機器情報が関係者に閲覧される。このため、関係者の利便性が向上される。
（４）
ここでは、図１に示す第１送受信部１１が、関係者の関係者識別子を含む認証情報３２（図４参照）をネットワーク４０経由で関係者管理装置３０から受信する。生成部２１が、関係者識別子の情報を受け取る。生成部２１が、ＨＴＭＬファイル２２（図４参照）をＪａｖａアプレット２３（図４参照）とともに生成する。第１送受信部１１が、ＨＴＭＬファイル２２（図４参照）をＪａｖａアプレット２３（図４参照）とともに受け取る。第１送受信部１１が、関係者管理装置３０においてＪａｖａアプレット２３（図４参照）が実行されるようにするために、ＨＴＭＬファイル２２（図４参照）をＪａｖａアプレット２３（図４参照）とともにネットワーク４０経由で関係者管理装置３０へ送信する。Ｊａｖａアプレット２３（図４参照）が実行されることにより、関係者の要求が、関係者管理装置３０からネットワーク４０を経由して第１送受信部１１で受信される。第２送受信部１５が、関係者の要求に基づいた情報すなわち管理指令を受け取る。第２送受信部１５が、関係者の要求に基づいて、管理指令をネットワーク７０経由で設備機器６０ａ，６０ｂ，・・・へ送信する。
【００７６】
したがって、管理指令をネットワーク７０経由で設備機器６０ａ，６０ｂ，・・・へ送信するので、ネットワーク７０経由で設備機器６０ａ，６０ｂ，・・・が関係者の要求に応じて管理される。
＜第１実施形態の変形例＞
（Ａ）図１に示す関係者管理装置３０は、１台であってもよいし、複数あってもよい。設備機器６０ａ，６０ｂ，・・・は、１台であってもよいし、複数台であってもよい。
【００７７】
（Ｂ）図１に示すＷＥＢサーバ２０は、生成部２１と認証部１２とだけでなく、認証情報データベース１７をさらに備えていてもよい。あるいは、図１に示すＷＥＢサーバ２０は、認証部１２を備えていなくてもよい。この場合、認証部１２は、設備機器管理装置１０のＷＥＢサーバ２０以外の部分に備えられることになる。
（Ｃ）図３に示すステップＳ１１において、図１に示す設備機器６０ａが制御された際に、設備機器６０ａが、設備機器６０ａの制御内容の情報を、管理指令に対する応答の信号として設備機器管理装置１０へネットワーク７０経由で送信してもよい。この場合、第２送受信部１５は、管理指令に対する応答の信号を、ネットワーク７０経由で設備機器６０ａから受信する。情報提供部１３は、管理指令に対する応答の信号を第２送受信部１５から受け取り、管理指令の内容（制御の内容）として対応機器情報に含めることができる。
【００７８】
（Ｄ）図１に示す生成部２１は、ＨＴＭＬファイル２２（図４参照）とＪａｖａアプレット２３（図４参照）とを別々のデータとして作成してもよい。すなわち、ＨＴＭＬファイル２２（図４参照）とＪａｖａアプレット２３（図４参照）とは、別々のデータとして、設備機器管理装置１０からネットワーク４０経由で関係者管理装置３０へ送信されてもよい。この場合でも、Ｊａｖａアプレット２３（図４参照）がＨＴＭＬファイル２２（図４参照）に備えられた関係者識別子２４（図４参照）を参照することができる。
【００７９】
（Ｅ）図１に示すネットワーク４０とネットワーク７０とは、同じプロトコルが採用されていてもよいし、異なるプロトコルが採用されていてもよい。
［第２実施形態］
本発明の第２実施形態にかかる設備機器管理システム１００を図８に示す。この設備機器管理システム１００は、設備機器６０ａ，６０ｂ，・・・を管理するためのシステムである。
【００８０】
この設備機器管理システム１００は、図８に示すように、基本的な構造は第１実施形態と同様であるが、設備機器管理装置１１０がＷＥＢサーバ２０を備えておらず、ＷＥＢサーバ１２０がネットワーク４０で設備機器管理装置１１０に接続されている点で第１実施形態と異なる。すなわち、ＷＥＢサーバ１２０の認証部１２が、認証情報３２（図４参照）を関係者管理装置３０から受け取る。認証部１２が、記憶部１６の認証情報データベース１７をネットワーク４０と第１送受信部１１とを経由して参照し、認証情報３２（図４参照）と認証情報データベース１７の記憶内容とを照合する。これにより、認証部１２が、関係者を認証する。ＷＥＢサーバ１２０の生成部２１が、関係者を認証した旨の情報と認証情報３２（図４参照）とを認証部１２から受け取る。生成部２１が、図４に示すＨＴＭＬファイル２２をＪａｖａアプレットとともに生成して、認証部１２へ渡す。設備機器管理装置１１０の第１送受信部１１が、ＨＴＭＬファイル２２（図４参照）をＪａｖａアプレット２３（図４参照）とともにＷＥＢサーバ１２０からネットワーク４０経由で受け取る。
【００８１】
Ｊａｖａアプレット２３（図４参照）と関係者識別子２４（図４参照）とを関連付けた情報であるＨＴＭＬファイル２２（図４参照）を生成することにより、Ｊａｖａアプレット２３（図４参照）がＨＴＭＬファイル２２（図４参照）を参照して関係者識別子２４（図４参照）を特定することが可能であるため、Ｊａｖａアプレット２３（図４参照）を実行するたびに認証が要求されることが低減される点は、第１実施形態と同様である。したがって、このような設備機器管理システム１００によっても、関係者が設備機器６０ａ，６０ｂ，・・・の管理をする際の負担が低減される。
【００８２】
＜第２実施形態の変形例＞
（Ａ）図８に示すＷＥＢサーバ１２０は、生成部２１と認証部１２とだけでなく、認証情報データベース１７をさらに備えていてもよい。あるいは、図８に示すＷＥＢサーバ１２０は、認証部１２を備えていなくてもよい。この場合、認証部１２は、設備機器管理装置１１０のＷＥＢサーバ２０以外の部分に備えられることになる。
【００８３】
［第３実施形態］
本発明の第３実施形態にかかる設備機器管理システム２００を図９に示す。この設備機器管理システム２００は、設備機器６０ａ，６０ｂ，・・・を管理するためのシステムである。
この設備機器管理システム２００は、図９に示すように、基本的な構造は第１実施形態と同様であるが、ネットワーク４０の代わりにネットワーク２４０とネットワーク２８０とが備えられている点と、設備機器管理装置２１０が第３送受信部２１４をさらに備える点と、で第１実施形態と異なる。
【００８４】
すなわち、中央管理装置２５０が、ネットワーク２４０と設備機器管理装置２１０とネットワーク７０とを介して、設備機器群６０（６０ａ，６０ｂ，・・・）を管理する。
関係者管理装置３０が、認証情報３２（図４参照）をネットワーク２８０経由で設備機器管理装置２１０へ送信する。第３送受信部２１４が、関係者の関係者識別子を含む認証情報３２（図４参照）をネットワーク２８０経由で関係者管理装置３０から受信する。第３送受信部２１４は、認証情報３２（図４参照）を、第１送受信部１１で読める形式に変換し、第１送受信部１１へ渡す。
【００８５】
第３送受信部２１４が、第１送受信部１１からＨＴＭＬファイル２２（図４参照）をＪａｖａアプレット２３（図４参照）とともに受け取り、ネットワーク２８０の形式に変換する。第３送受信部２１４が、関係者管理装置３０においてＪａｖａアプレット２３（図４参照）が実行されるようにするために、ＨＴＭＬファイル２２（図４参照）をＪａｖａアプレット２３（図４参照）とともにネットワーク２８０経由で関係者管理装置３０へ送信する。関係者管理装置３０は、ＨＴＭＬファイル２２（図４参照）をネットワーク２８０経由で設備機器管理装置２１０から受信する。
【００８６】
関係者管理装置３０は、認証済みである旨の情報と関係者の要求とをネットワーク２８０経由で送信する。第３送受信部２１４は、認証済みである旨の情報と関係者の要求とをネットワーク２８０経由で関係者管理装置３０から受信する。第３送受信部２１４は、認証済みである旨の情報と関係者の要求とを、第１送受信部１１で読める形式に変換し、第１送受信部１１へ渡す。
【００８７】
第３送受信部２１４が、対応機器情報を第１送受信部１１から受け取り、ネットワーク２８０の形式に変換する。第３送受信部２１４が、対応機器情報をネットワーク２８０経由で関係者管理装置３０へ送信する。関係者管理装置３０は、対応機器情報をネットワーク２８０経由で設備機器管理装置２１０から受信する。
Ｊａｖａアプレット２３（図４参照）と関係者識別子２４（図４参照）とを関連付けた情報であるＨＴＭＬファイル２２（図４参照）を生成することにより、Ｊａｖａアプレット２３（図４参照）がＨＴＭＬファイル２２（図４参照）を参照して関係者識別子２４（図４参照）を特定することが可能であるため、Ｊａｖａアプレット２３（図４参照）を実行するたびに認証が要求されることが低減される点は、第１実施形態と同様である。したがって、このような設備機器管理システム２００によっても、関係者が設備機器６０ａ，６０ｂ，・・・の管理をする際の負担が低減される。
【００８８】
＜第３実施形態の変形例＞
（Ａ）図９に示すネットワーク２４０として、例えば、ＢＡネットワークを用いてもよい。ネットワーク２８０として、例えば、ＯＡネットワークを用いてもよい。ここで、ＢＡネットワークとは、主として、ビルなどにおける設備機器を管理するためのネットワークである。それに対して、ＯＡネットワークとは、主として、ビルなどにおけるＯＡ機器などを互いに接続するネットワークである。一般に、ＯＡネットワークの方が、ＢＡネットワークよりも通信容量が大きく、高速通信が可能である。したがって、このような構成により、関係者管理装置３０と設備機器管理装置２１０との間の通信を高速化することができる。
【００８９】
［第４実施形態］
本発明の第４実施形態にかかる設備機器管理システム３００を図１０に示す。この設備機器管理システム３００は、設備機器３６０ａａ，３６０ａｂ，・・・，３６０ｂａ，３６０ｂｂ，・・・を管理するためのシステムである。
この設備機器管理システム３００は、図１０に示すように、基本的な構造は第１実施形態と同様であるが、設備機器管理装置１０の代わりに、設備機器管理装置群３１０（３１０ａ，３１０ｂ，・・・）が備えられている点で構成が異なる。すなわち、設備機器群３６０ａ（３６０ａａ，３６０ａｂ，・・・）は、ネットワーク群３７０（３７０ａ，３７０ｂ，・・・）で設備機器管理装置群３１０（３１０ａ，３１０ｂ，・・・）に接続されている。
【００９０】
設備機器管理装置３１０ａの第１送受信部１１（図１参照）が、関係者の要求をネットワーク４０経由で関係者管理装置３０から受信する。関係者の要求が複数の設備機器管理装置３１０ａ，３１０ｂ，・・・に接続された複数の設備機器３６０ａａ，３６０ａｂ，・・・，３６０ｂａ，３６０ｂｂ，・・・を管理したいというものである場合、中央管理装置３５０が、関係者の要求を受け取る。中央管理装置３５０が、複数の設備機器管理装置３１０ａ，３１０ｂ，・・・を介して複数の設備機器３６０ａａ，３６０ａｂ，・・・，３６０ｂａ，３６０ｂｂ，・・・をそれぞれ管理する。複数の設備機器管理装置３１０ａ，３１０ｂ，・・・における複数の第２送受信部１５が、関係者の要求を受け取る。複数の設備機器管理装置３１０ａ，３１０ｂ，・・・における複数の第２送受信部１５が、関係者の要求に基づいて、管理指令をネットワーク７０経由で複数の設備機器３６０ａａ，３６０ａｂ，・・・，３６０ｂａ，３６０ｂｂ，・・・へ送信する。したがって、中央管理装置３５０を備えることにより、複数の設備機器管理装置３１０ａ，３１０ｂ，・・・に接続された複数の設備機器３６０ａａ，３６０ａｂ，・・・，３６０ｂａ，３６０ｂｂ，・・・の管理も、関係者管理装置３０から行われる。これらの点で第１実施形態と異なる。
【００９１】
Ｊａｖａアプレット２３（図４参照）と関係者識別子２４（図４参照）とを関連付けた情報であるＨＴＭＬファイル２２（図４参照）を生成することにより、Ｊａｖａアプレット２３（図４参照）がＨＴＭＬファイル２２（図４参照）を参照して関係者識別子２４（図４参照）を特定することが可能であるため、Ｊａｖａアプレット２３（図４参照）を実行するたびに認証が要求されることが低減される点は、第１実施形態と同様である。したがって、このような設備機器管理システム３００によっても、関係者が設備機器３６０ａａ，３６０ａｂ，・・・，３６０ｂａ，３６０ｂｂ，・・・の管理をする際の負担が低減される。
【００９２】
＜第４実施形態の変形例＞
（Ａ）関係者の要求は、図１０に示す管理装置３５０を経由せずに、直接的に、複数の設備機器管理装置３１０ａ，３１０ｂ，・・・へネットワーク４０経由で送信されてもよい。
【図面の簡単な説明】
【００９３】
【図１】本発明の第１実施形態による設備機器管理システムの構成図。
【図２】設備機器管理システムが設備機器を管理する処理の流れを示すフローチャート。
【図３】設備機器管理システムが設備機器を管理する処理の流れを示すフローチャート。
【図４】設備機器管理システムが設備機器を管理する際のデータの流れを示す概念図。
【図５】認証情報データベースの構成を示す概念図。
【図６】対応付け情報の構成を示す概念図。
【図７】設備機器データベースの構成を示す概念図。
【図８】本発明の第２実施形態による設備機器管理システムの構成図。
【図９】本発明の第３実施形態による設備機器管理システムの構成図。
【図１０】本発明の第４実施形態による設備機器管理システムの構成図。
【図１１】従来の設備機器管理システムが設備機器群を管理する際のデータの流れを示す概念図。
【符号の説明】
【００９４】
１，１００，２００，３００  設備機器管理システム
１０，１１０，２１０  設備機器管理装置
２０，１２０  ＷＥＢサーバ
３０  関係者管理装置
４０，７０，２４０，２８０  ネットワーク
５０，２５０，３５０  中央管理装置
６０，３６０  設備機器群
３１０  設備機器管理装置群
３７０  ネットワーク群
【図１】
2005147505.tif 000003
【図２】
2005147505.tif 000004
【図３】
2005147505.tif 000005
【図４】
2005147505.tif 000006
【図５】
2005147505.tif 000007
【図６】
2005147505.tif 000008
【図７】
2005147505.tif 000009
【図８】
2005147505.tif 000010
【図９】
2005147505.tif 000011
【図１０】
2005147505.tif 000012
【図１１】
2005147505.tif 000013